(57)【特許請求の範囲】
【請求項１】
複数の商品を包装する包装体であって、
前記複数の商品を包装する包装体本体と、
前記包装体本体に巻かれるカバー包装体と、を備え、
前記カバー包装体が、前記商品に関する情報を記述した商品情報が表示された商品情報表示部を有し、
前記包装体本体が、前記カバー包装体に表示された前記商品情報とは無関係のデザインが表示された表面を有し、
前記カバー包装体が前記包装体本体から所定の力で取り外せる固着部を有し、
前記カバー包装体が前記包装体本体からの取り外しを容易にするためのカバー開封部を有し、
前記カバー包装体が、前記カバー開封部を開封して前記カバー包装体を前記包装体本体から取り外した後に、前記包装体本体に巻いて再取り付けを可能とする係止部を有する
ことを特徴とする包装体。
【請求項２】
前記カバー包装体が、前記包装体本体と同じ前記デザインが表示されたデザイン部を有することを特徴とする、請求項１に記載の包装体。
【請求項３】
前記係止部が、前記カバー包装体のカバー開封部の展開された両端の上下に設けられた、互いにかみ合う切れ込みであることを特徴とする、請求項１又は２に記載の包装体。
【請求項４】
前記カバー包装体がフィルムから形成されることを特徴とする、請求項１から３のいずれかに記載の包装体。
【請求項５】
前記商品が使い捨ての吸収性物品であることを特徴とする、請求項１から４のいずれかに記載の包装体。
【発明の詳細な説明】
【技術分野】
【０００１】
本発明は、商品の包装体に関し、特に、商品購入後、商品に係る情報を隠蔽できる機能を有する包装体に関する。
【背景技術】
【０００２】
軽失禁製品や生理用ナプキン等を消費者が購入するときは、あまり人目に触れられたくないものである。特に軽失禁製品の場合は自分がその症状であることを知られたくないためである。生理用ナプキンでさえも販売店で購入するときに、中身が見えないレジ袋に別に入れて販売されている。
【０００３】
また、購入した製品を持ち運び又は使用若しくは保管する場合でも、包装体本体（パッケージ）を開封したまま、都度取りだすのも、できたら周りの人にも知られたくないと思うものである。  
【０００４】
さらに、使い終わった包装体本体を半透明のごみ袋に入れて廃棄する場合でも、パッケージデザイン・表記は隠蔽性を保ち難く、廃棄時の不快感が生じたりすることがある。
【０００５】
しかし、商品情報をパッケージの表面に表示しないと内容物の隠蔽性は保たれても、消費者（購入者）は購入時に商品情報を選択基準として商品を的確に選ぶことができない。またこの情報表示部の情報は衛生用品の生産者や販売者にとっては、消費者に提供する商品の生産、保管、輸送、展示など際に不可欠なものであり、これをなくしてしまうことはできない。（特許文献１）
【０００６】
また、吸収性物品の個別包装体は、印刷部によって包装シート全面に絵柄を付すことができ、包装シートによって吸収性物品を包んだ状態で吸収性物品の視認性を低減することができる（特許文献１）。そのため、少なくとも正面パッケージデザインは、花などのデザインをベースに、商品情報などの表記を最小限にとどめるなどの工夫が行われている。
【０００７】
しかしながら、特許文献１では、需要者がパッケージを一瞥して商品情報が直感的かつ的確に伝達できるパッケージを提供する。店頭陳列した時を想定したものであり、使用時や廃棄時は一切考慮していない。特許文献２に記載された商品の個別包装体には、商品を購入後の持ち運びや保管する場合のことを考慮していない。
【先行技術文献】
【特許文献】
【０００８】
【特許文献１】特開２００９−２９１２５４号公報
【特許文献２】特開２００６−１４３２８１号公報
【発明の概要】
【発明が解決しようとする課題】
【０００９】
そこで、本発明は、購入するときに、従来の商品名、入数、グレード、特長などが印刷された包装体本体であり、購入直後（レジ通過後）持ち運び、使用、保管又は包装体本体を廃棄する場合にそのものが何の商品かわからないような、美粧性のある包装体本体を提供することを目的とする。
【課題を解決するための手段】
【００１０】
上記課題を解決するために、本発明は、以下の構成によって把握される。
（１）本発明に係る包装体は、複数の商品を包装する包装体であって、複数の商品を包装する包装体本体と、包装体本体に巻かれるカバー包装体と、を備え、カバー包装体が、商品に関する情報を記述した商品情報が表示された商品情報表示部を有し、包装体本体が、カバー包装体に表示された商品情報とは無関係のデザインが表示された表面を有し、カバー包装体が包装体本体から所定の力で取り外せる固着部を有することを特徴とする。
【００１１】
（２）上記（１）の構成において、カバー包装体が、包装体本体と同じデザインが施されたデザイン部を有してもよい。
【００１２】
（３）上記（１）又は（２）の構成において、カバー包装体が包装体本体からの取り外しを容易にするための開封部を有してもよい。
【００１３】
（４）上記（１）ないし（３）のいずれかの構成において、カバー包装体がフィルムから形成されてもよい。
【００１４】
（５）上記（１）ないし（４）のいずれかの構成において、商品が使い捨ての吸収性物品であってもよい。
【発明の効果】
【００１５】
本発明によれば、購入するときに、従来の商品名、入数、グレード、特長などが印刷された包装体本体であり、購入直後（レジ通過後）持ち運び、使用、保管又は包装体本体を廃棄する場合にそのものが何の商品かわからないような、美粧性のある包装体本体を提供することができる。
【図面の簡単な説明】
【００１６】
【図１】本発明の包装体の第１実施形態を示す斜視図である。
【図２】図１の包装体のカバー包装体を取り外した状態の包装体本体の斜視図である。
【図３】（ａ）図１の包装体のカバー包装体の斜視図、（ｂ）カバー包装体の展開図である。
【図４】本発明の包装体の第２実施形態であって（ａ）包装体のカバー包装体の斜視図、（ｂ）カバー包装体の展開図である。
【発明を実施するための形態】
【００１７】
（第１実施形態）
以下、添付図面を参照して、本発明を実施するための形態（以下、「実施形態」と称する）について詳細に説明する。実施形態の説明の全体を通して同じ要素には同じ番号を付している。
【００１８】
図１〜３は、本発明に係る商品の包装体の第１実施形態を示すものである。図１は、本発明の包装体１を店頭で販売する際の状態を示した斜視図である。図１に示すように、複数の商品（図示せず）がまとめて包装された包装体１は、複数の商品が包装体本体２より包装されて、カバー包装体４が包装体本体に巻かれている。カバー包装体４は、商品に関する情報を記述した商品情報が表示された商品情報表示部１１を有している。また、包装体本体２は、カバー包装体４に表示された商品情報とは無関係のデザインが表示された表面を有している。そして、カバー包装体４は、包装体本体２に取り付けるための固着部６を有しており、この固着部６は、所定の力で取り外せるようになっている。なお、ここでは、商品の一例として使い捨ての吸収性物品（軽失禁ライナー、生理用ナプキンなど）を取り上げて説明するが、商品は吸収性物品に限られるものではなく、その他の衛生用品や医療用品などであってもよい。
【００１９】
図２は、図１の包装体１のカバー包装体４を取り外した状態の包装体本体２、言い換えれば、需要者が複数の商品を包装する商品の包装体１を購入後、持ち運び、使用・保管する際の状態の包装体本体２を示した斜視図である。すなわち、包装されている商品が何の商品であるか他人にわからないように、商品の情報が表示されたカバー包装体４を外した状態の包装体１の包装体本体２の斜視図である。包装体本体２は、例えばフィルムによって形成されており、その上部には収容された商品を取り出すために開封し易いように、開封用のミシン目（本体開封部）５を設けている。図２では、包装体本体２の前面、後面、両側面の各上部を周回するミシン目５を示しているが、このミシン目は、包装体本体２の前面、後面あるいは天面、側面等のどのような位置に設けてもよく、またミシン目５で形成する取出し口の形状も吸収性物品が取出しやすい形状であれば、形状に制限はない。
【００２０】
図３（ａ）は、本発明の包装体１の第１実施形態を示す図であって、図３（ａ）はカバー包装体４の斜視図、図３（ｂ）はカバー包装体４の展開図である。カバー包装体４には、商品情報表示部１１が設けられており、需要者が店頭で包装体１を一瞥して包装されている商品が直感的かつ的確に伝わるように商品情報が表示されている。例えば、前面の商品情報表示部１１ａには、商品に係る名称（図３（ａ）では「吸収性物品」としているが、現実にはこれに加えて商品の名称が加わる）、用途、数、特徴、外観の概略図などの商品情報が、需要者が欲する商品を直感的に選択できるように表示されている。また、後面の商品情報表示部１１ｂには、使用にあたっての具体的な注意事項や、商品を構成する成分など専門技術的な商品情報が、需要者に的確に伝わるように表示されている。
【００２１】
これらの商品情報は需要者が購入行動をとるにあたって当然必要なものであるが、一方で、軽失禁ライナーや生理用ナプキンなどの吸収性物品を購入する需要者の多くは、他人にこれらの購入を知られることを嫌う傾向があることもよく知られている。特に、大人用の軽失禁ライナーなどでは、他人にそれを購入していることを見られたり、知人に知られたりすることに羞恥を覚えることが多いといわれている。こうしたことから、購入後の持運びの際に生ずる羞恥心を軽減するために、商品の情報が表示されたカバー包装体４は取り外せるようになっており、カバー包装体４を包装体本体２に固着する固着部６は、所定の力を加えると取り外せるように構成されている。固着部６の構成については、後述する。
【００２２】
なお、本実施形態としては、固着部６をカバー包装体４の上下の四隅に設けた例を示しているが、これに限る必要はなく、包装体本体２とカバー包装体４の大きさや材質などを考慮して、任意に設定してよい。購入までの状態では、カバー包装体４は包装体本体２に固着部６により固着されており、購入された状態では、需要者が持ち運び又は使用若しくは保管する環境に応じて、カバー包装体４を取り外すことができる。
【００２３】
包装体本体２を形成する材料には、ポリエチレン等の熱可塑性樹脂フィルムが通常使用されるが、これに限るものではない。この包装体本体２には、例えば、軽失禁ライナーや生理用ナプキンなどの吸収性物品を縦方向又は横方向に複数段に積み重ねたものが圧縮されて収容されている。
【００２４】
包装体１は、収納する商品の集積体を外部より特定できない程度に非透視の構成とされ、その包装体本体２の表面に透視できない程度に印刷を施したり、不透明な素材を用いたりすればよい。包装体本体２の表面に不透視部材を配置することも可能である。
【００２５】
包装体本体２の表面を印刷面とする場合、通常商品の集積体を外部より透視できない無地あるいは白色印刷面として印刷するのがよい。また商品の内容とは無関係のデザイン、例えば季節の植物や動物などのイラストレーション、漫画、風景写真が印刷されているものであってもよい。
【００２６】
カバー包装体４は、ここでは、包装体本体２の正面部または側面部若しくは背面部の全部または一部に巻きつけて固定できる、一例として帯状のシート材の場合を示している。帯状シートでなくラベル状のシート材でもよい。また、スリーブ状（筒形）フィルム部材であってもよい。なお、このような巻き付け態様に限る必要はなく、例えば、天面部、底面部に巻き付けてもよい（以下、同様である。）。カバー包装体４を形成する材料は、包装体本体２と同一の樹脂フィルムを使用してもよく、また異なる樹脂フィルムであってもよい。さらにカバー包装体４を紙、不織布、樹脂フィルムのいずれか又はこれら相互の積層体を主体とする素材により形成することが可能である。後記のように、熱収縮性フィルムにより形成することも可能である。このようにカバー包装体４は、包装体本体２の表面の一部または全部を覆うように包装体本体２に取り付けられて販売中は破れない強度をもち、所望時に包装体本体２の表面から取り外すできるカバー包装部材であれば特に制限はない。
【００２７】
ここで、カバー包装体４は、図３に示すように、商品情報表示部１１以外の箇所を無地、透明とするほかに、包装体本体２と同じデザインを施したデザイン部１３を設けることとしてもよい。図３では、商品情報表示部１１以外をすべて包装体本体２と同じデザインとしているが、無地や透明の箇所と組み合わせてもよい。
【００２８】
固着部６はカバー包装体４が包装体本体２に取り付けられるよう、カバー包装体４の裏側に設けられ、固着部の材料として接着剤又は粘着テープにより包装体本体２の正面部または側面部もしく背面部の全部または一部に取付けられる。カバー包装体４を接着剤又は粘着テープにより包装体本体２の正面部または側面部もしく背面部の全部または一部に取付けられる。なお、スリーブ状のカバー包装体を熱収縮性フィルムにより形成したときは、これを包装体本体の外周面に加熱により鉢巻状に巻きつけ固着することができる。
【００２９】
一方、カバー包装体４は表面に商品情報表示部１１を有し、その商品情報表示部１１には、包装体本体２に収容する商品の商品名、入数、グレープ、使い方、注意事項、特徴などの商品情報がカラフルな色彩、文字、イラストレーション・写真などの表現手段を用いて、印刷により目を引くように記載されている。
【００３０】
さらに、このカバー包装体４の適宜な個所に開封用ミシン目（カバー開封部）７を１本または数本設けておき、購入後必要に応じて、消費者が前記商品情報表示部１１を有するカバー包装体４をカバー開封部７に沿って包装体本体２から取り外すと購入内容物の隠蔽性を保つことができるものである。なお、カバー包装体４の開封位置に、ミシン目に代えてカットテープを設けたり、ノッチなどの破断補助手段を設けておいてもよい。
【００３１】
このカバー包装体４は取り外す後の再接着が不可能な接着剤又は粘着テープにより包装体本体２の正面部または側面部もしく背面部の全部または一部に一体に取付けられる。なお、スリーブ状のカバー包装体を熱収縮性フィルムにより形成したときは、これを包装袋の外周面に加熱により鉢巻状に巻きつけ固着することができる。
【００３２】
また包装体本体２の外周面には、熱収縮性フィルムにより形成したスリーブ状のカバー包装体４を巻きつけてこれを加熱雰囲気下で包装体本体２の外面に鉢巻状に固定している。このカバー包装体４の表面に設けた商品情報表示部１１には、吸収性物品の名称、大きさ、数量、使い方などがカラー印刷されている。
【００３３】
（第２実施形態）
図４は、本発明の包装体１の第２実施形態を示す一例の概略図であって、図４（ａ）はカバー包装体４の斜視図、図４（ｂ）はカバー包装体４の展開図である。本実施形態において、包装体１は、カバー包装体４を包装体本体２から取り外した後に、再び取り付けることが可能である点を除き、第１実施形態と同じ構成である。以下、第１実施形態と異なる点について説明する。
【００３４】
軽失禁症状のある人は年配者に多いが、近年、高齢化の進展により年配者同士だけの暮らしや、年配者の１人暮らしが多くなりつつある。そして、年配者には認知症とまではいかなくとも、物忘れが進行している人が多いことも否めず、包装体１から商品情報を表示したカバー包装体４を取り外したままであると、軽失禁ライナーなどの吸収性物品の所在がわからなくなってしまったり、包装体１の中にはまだ軽失禁ライナーが残っているにもかかわらず、それに気づかず、新たな購入行動に繋がってしまうようなことも想定される。
【００３５】
さらにまた、年配者には、日ごろの孤独感を癒すために犬や猫などのペットを飼っている人も少なくない。軽失禁症状の年配者がペットと一緒に暮らす中で、包装体１から商品情報を表示したカバー包装体４を取り外したままであると、年配者がヒト用の軽失禁ライナーなどの吸収性物品とペット用のおむつとを包装体１の外観上からはすぐには識別できないようなことも起きないとは限らない。
【００３６】
このような事態を避けるためには、包装体１を購入した後は、人目を避けるためにカバー包装体４を外して自宅に持ち帰り、その後は、カバー包装体４を包装体本体２に再び取り付けることができれば便宜となる。第２実施形態は、かかる場合に対応できるよう考案されたものであり、人目のない、又は見られても平気な人間関係の環境下において、包装されている吸収性物品の識別を容易にするため、一旦取り外したカバー包装体４を包装体本体２に再び取り付けるように構成したものである。
【００３７】
図４（ａ）及び（ｂ）に示すように、カバー包装体４は、第１実施形態と同様に、包装体本体２に固着するための固着部６、開封を容易に行うためのカバー開封部７を有し、さらに加えて、一旦取り外した後に再取り付けを可能ならしめる係止部８を有している。カバー包装体４を包装体本体２から一旦取り外すと、固着部６及びカバー開封部７は役割を終えることになるので、係止部８は、カバー包装体４を再取り付けするために設けられている。ただし、カバー包装体４を再取り付けしても、包装体１を新たに商品として店頭で販売したり、そのために輸送したりするものではないので、係止部８は、カバー包装体４のカバー開封部７の展開された両端を簡易に係止できる程度のものでよい。図４では、カバー包装体４のカバー開封部７の展開された両端の上下に互いに噛み合う切れ込みを設けた例を示している。このほかにも、係止部８をマジックテープ（登録商標）、一対の引っ掛け部材又は繰り返し貼り剥がす可能な粘着シートなどで構成してもよい。
【００３８】
このように構成することにより、需要者の置かれた環境に応じて、需要者の意思によってカバー包装体４を包装体本体２から取り外したり、再取り付けしたりすることを繰り返し行うことができる。
【００３９】
以上、２つの実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４０】
１        包装体
２        包装体本体
４        カバー包装体
５        本体開封部（包装体本体の）
６        固着部（カバー包装体の）
７        カバー開封部（カバー包装体の）
８        係止部（カバー包装体の）
１１      商品情報表示部（カバー包装体の）
１１ａ    前面の商品情報表示部
１１ｂ    後面の商品情報表示部
１３      デザイン部（カバー包装体の）
【図１】
0006410226.tif 000002
【図２】
0006410226.tif 000003
【図３】
0006410226.tif 000004
【図４】
0006410226.tif 000005